(57)【要約】  監視可能デバイスに連結可能なセンサから取得できる、監視可能デバイスの少なくとも１つの即応性パラメータを監視する第一対応者即応性データサーバであって、このセンサは、監視可能デバイスの少なくとも１つの即応性パラメータの現在値を検出するように構成されている。このサーバは、センサから送信された、監視可能デバイスの少なくとも１つの即応性パラメータの現在値に対応するデータを受信するように構成された通信インターフェースと、監視可能デバイスの少なくとも１つの即応性パラメータの現在値が、少なくとも１つのユーザ定義ルールを満たすか否かを判定し、監視可能デバイスの少なくとも１つの即応性パラメータの現在値が、ユーザ定義ルールを満たしているか否かを指示するデバイス状態を判定するように構成されたプロセッサと、を含み、通信インターフェースは、デバイス状態の指示を監視ディスプレイに送信するように更に構成されている。【選択図】図１
2019516298.tif 000002
【特許請求の範囲】
【請求項１】
監視可能デバイス（１４）に連結可能な少なくとも１つのセンサ（１２）から取得できる、前記監視可能デバイス（１４）の少なくとも１つの即応性パラメータを監視する第一対応者即応性データサーバ（１０）であって、
前記少なくとも１つのセンサ（１２）は、前記監視可能デバイス（１４）の前記少なくとも１つの即応性パラメータの現在値を検出するように構成されており、
前記サーバは、
前記少なくとも１つのセンサ（１２）から送信された、前記監視可能デバイス（１４）の前記少なくとも１つの即応性パラメータの現在値に対応するデータを受信するように構成された通信インターフェース（２４）と、
メモリ（２２）及びプロセッサ（２０）を含む処理回路（１８）と、を有しており、
前記メモリ（２２）は、前記プロセッサ（２０）と通信し、
前記メモリ（２２）は、前記プロセッサ（２０）によって実行される際、前記プロセッサ（２０）に、
前記監視可能デバイス（１４）の前記少なくとも１つの即応性パラメータの現在値が、少なくとも１つのユーザ定義ルールを満たすか否かを判定すること、及び
前記監視可能デバイス（１４）の前記少なくとも１つの即応性パラメータの現在値が、前記少なくとも１つのユーザ定義ルールを満たしているか否かを指示するデバイス状態を判定すること、を実行させる命令を有しており、
前記通信インターフェース（２４）は、前記デバイス状態の指示を監視ディスプレイ（１６）に送信するように更に構成されている、第一対応者即応性データサーバ（１０）。
【請求項２】
前記少なくとも１つのセンサ（１２）は、以前に検出された値と比較して、前記監視可能デバイス（１４）の前記少なくとも１つの即応性パラメータの現在値における変化を検出するように構成されている、請求項１に記載の第一対応者即応性データサーバ（１０）。
【請求項３】
前記通信インターフェース（２４）は、
前記少なくとも１つの即応性パラメータの現在値が、以前に検出された値と比較して変化したという指示を、前記少なくとも１つのセンサ（１２）から受信するように更に構成されており、
前記プロセッサ（２０）は、前記受信した指示に基づいて警報を生成するように更に構成されており、
前記警報は、前記少なくとも１つのユーザ定義ルールが満たされていること、前記少なくとも１つの即応性パラメータが所望のレベル未満に降下したこと、前記監視可能デバイス（１４）が緊急対応の準備完了状態にあること、前記監視可能デバイス（１４）が前記準備完了状態でなくなったこと、及び前記監視可能デバイス（１４）が前記準備完了状態でなくなる寸前であること、のうちの少なくとも１つを指示する、請求項２に記載の第一対応者即応性データサーバ（１０）。
【請求項４】
前記監視ディスプレイ（１６）は、パーソナルコンピュータ、ラップトップ、及びワイヤレスモバイルデバイスのうちの１つである、請求項１に記載の第一対応者即応性データサーバ（１０）。
【請求項５】
前記第一対応者即応性データサーバ（１０）は、ワイヤレスネットワークを介して遠隔からアクセス可能である、請求項１に記載の第一対応者即応性データサーバ（１０）。
【請求項６】
前記第一対応者即応性データサーバ（１０）は、安全なウェブポータル又はモバイルデバイスアプリケーションのうちの１つを介して遠隔からアクセス可能である、請求項１に記載の第一対応者即応性データサーバ（１０）。
【請求項７】
前記第一対応者即応性データサーバ（１０）は、クラウドベースのデータサーバである、請求項１に記載の第一対応者即応性データサーバ（１０）。
【請求項８】
前記即応性パラメータは、酸素レベル、空気圧レベル、バッテリ充電レベル、バッテリ電圧レベル、バッテリ寿命残量、陸線接続、ネットワーク接続、燃料レベル、水位、及び温度レベルのうちの１つである、請求項１に記載の第一対応者即応性データサーバ（１０）。
【請求項９】
前記監視可能デバイス（１４）は、エアパック、ガスマスク、自給式呼吸器（ＳＣＢＡ）タンク、バッテリ、及び燃料タンクのうちの１つである、請求項１に記載の第一対応者即応性データサーバ（１０）。
【請求項１０】
前記監視可能デバイス（１４）の前記少なくとも１つの即応性パラメータの現在値に対応するデータを、ゲートウェイ装置（２８）から受信し、前記ゲートウェイ装置（２８）は、前記少なくとも１つのセンサからのデータを受信する、請求項１に記載の第一対応者即応性データサーバ（１０）。
【請求項１１】
監視可能デバイス（１４）に連結可能な複数のセンサ（１２）から取得できる、前記監視可能デバイス（１４）の少なくとも１つの即応性パラメータを監視する第一対応者即応性データサーバ（１０）であって、
前記複数のセンサ（１２）各々は、対応する監視可能デバイス（１４）の前記少なくとも１つの即応性パラメータの現在値を検出するように構成されており、
前記サーバは、
前記複数のセンサ（１２）から送信された、前記複数の監視可能デバイス（１４）各々の前記少なくとも１つの即応性パラメータの現在値に対応するデータを受信するように構成された通信インターフェース（２４）と、
メモリ（２２）及びプロセッサ（２０）を含む処理回路（１８）と、を有しており、
前記メモリ（２２）は、前記プロセッサ（２０）と通信し、
前記メモリ（２２）は、前記プロセッサ（２０）によって実行される際、前記プロセッサ（２０）に、
前記複数の監視可能デバイス（１４）のうちの少なくとも１つの前記少なくとも１つの即応性パラメータの現在値が、以前に検出された値と比較して変化したか否かを判定すること、
前記少なくとも１つの即応性パラメータの前記変化した現在値が、少なくとも１つのユーザ定義ルールを満たすか否かを判定すること、及び
警報を生成すること、を実行させる命令を有しており、
前記警報は、前記少なくとも１つのユーザ定義ルールが前記少なくとも１つの即応性パラメータの前記変化した現在値によって満たされていること、前記少なくとも１つの即応性パラメータの前記変化した現在値が所望のレベル未満に降下したこと、前記少なくとも１つの即応性パラメータの前記変化した現在値に対応する前記複数の監視可能デバイス（１４）のうちの前記少なくとも１つが緊急対応の準備完了状態であること、前記少なくとも１つの即応性パラメータの前記変化した現在値に対応する前記複数の監視可能デバイス（１４）のうちの前記少なくとも１つが前記準備完了状態でなくなったこと、及び前記少なくとも１つの即応性パラメータの前記変化した現在値に対応する前記複数の監視可能デバイス（１４）のうちの前記少なくとも１つが前記準備完了状態でなくなる寸前であること、のうちの少なくとも１つを指示する、第一対応者即応性データサーバ（１０）。
【請求項１２】
監視可能デバイス（１４）に連結可能な少なくとも１つのセンサ（１２）から取得できる、監視可能デバイス（１４）の少なくとも１つの即応性パラメータを監視する、第一対応者即応性データサーバ（１０）における方法であって、
前記少なくとも１つのセンサ（１２）は、前記監視可能デバイス（１４）の前記少なくとも１つの即応性パラメータの現在値を検出するように構成されており、
前記方法は、
前記少なくとも１つのセンサ（１２）から送信された、前記監視可能デバイス（１４）の前記少なくとも１つの即応性パラメータの現在値に対応するデータを受信することと（Ｓ７１０）、
前記監視可能デバイス（１４）の前記少なくとも１つの即応性パラメータの現在値が、少なくとも１つのユーザ定義ルールを満たすか否かを判定することと（Ｓ７２０）、
前記監視可能デバイス（１４）の前記少なくとも１つの即応性パラメータの現在値が、前記少なくとも１つのユーザ定義ルールを満たしているか否かを指示するデバイス状態を判定することと（Ｓ７３０）、
前記デバイス状態の指示を監視ディスプレイ（１６）に送信することと（Ｓ７４０）、を含む、方法。
【請求項１３】
前記少なくとも１つのセンサ（１２）は、以前に検出された値と比較して、前記監視可能デバイス（１４）の前記少なくとも１つの即応性パラメータの現在値における変化を検出するように構成されている、請求項１２に記載の方法。
【請求項１４】
以前に検出された値と比較して、前記少なくとも１つの即応性パラメータの現在値が変化したという指示を、前記少なくとも１つのセンサ（１２）から受信することと、
前記受信した指示に基づいて警報を生成することと、を更に含み、
前記警報は、前記少なくとも１つのユーザ定義ルールが満たされていること、前記少なくとも１つの即応性パラメータが所望のレベル未満に降下したこと、前記監視可能デバイス（１４）が緊急対応の準備完了状態であること、前記監視可能デバイス（１４）が前記準備完了状態でなくなったこと、及び前記監視可能デバイス（１４）が前記準備完了状態でなくなる寸前であること、のうちの少なくとも１つを指示する、請求項１３に記載の方法。
【請求項１５】
前記監視ディスプレイ（１６）は、パーソナルコンピュータ、ラップトップ、及びワイヤレスモバイルデバイスのうちの１つである、請求項１２に記載の方法。
【請求項１６】
前記第一対応者データサーバ（１０）は、ワイヤレスネットワークを介して遠隔からアクセス可能である、請求項１２に記載の方法。
【請求項１７】
前記第一対応者データサーバ（１０）は、安全なウェブポータル又はモバイルデバイスアプリケーションのうちの１つを介して遠隔からアクセス可能である、請求項１２に記載の方法。
【請求項１８】
前記第一対応者データサーバ（１０）は、クラウドベースのデータサーバである、請求項１２に記載の方法。
【請求項１９】
前記即応性パラメータは、酸素レベル、空気圧レベル、バッテリ充電レベル、バッテリ電圧レベル、バッテリ寿命、陸線接続、ネットワーク接続、燃料レベル、水位、及び温度レベルのうちの１つである、請求項１２に記載の方法。
【請求項２０】
前記監視可能デバイス（１４）は、エアパック、ガスマスク、自給式呼吸器（ＳＣＢＡ）タンク、バッテリ、及び燃料タンクのうちの１つである、請求項１２に記載の方法。
【発明の詳細な説明】
【技術分野】
【０００１】
本開示は、デバイス即応性監視システムに関する。より具体的には、本開示は、消防又は警察などの緊急（すなわち、第一対応者）サービスの業務に不可欠なデバイスの即応性値を監視するデバイス即応性監視システムに関する。デバイス即応性監視システムにより、バッテリ充電レベル、燃料レベル、水位、空気圧レベル、温度などの重要なデバイス特性の遠隔監視が可能になる。これらのデバイス特性は、ワイヤレスデータネットワークなどを介して遠隔で監視することができる。
【背景技術】
【０００２】
緊急要員は、災害及び非常時への対応及び管理において、様々な種類の機器に頼っている。すべての必要な非常用機器が動作可能で使える状態であることを保証するため、非常事態又は訓練から戻るとすぐに、機器を、再充電、再充填、又は別の方法で準備完了状態に戻さなければならない。またこのような非常用機器は、緊急対応の準備完了状態を維持できていることを確認するために定期的に点検しなければならない。
【０００３】
点検の頻度は、個人の稼働率を含むいくつかの要因に基づいて変化する場合がある。時々、点検の合間に、機器が故障する場合がある。バッテリの寿命が尽き、水位が漏れて下がり、空気圧が低下する。機器がオフライン又は常時準備完了状態でないときに、非常事態が発生した場合、その結果は、緊急要員（すなわち、第一対応者）が単に不便になることから、ひどい大惨事になるまでの可能性がある。例えば、消防部員が、非常事態への対応の準備がされている消防署に到着し、消防車のうちの１つがバッテリ切れであることを発見した場合、非常事態への対応の遅れが、大惨事を引き起こし得る。
【０００４】
特定のデバイスの準備完了状態を監視するためのいくつかの方法が知られている。例えば、内部充電式バッテリを有する多くのデバイスは、デバイスが完全に充電されているかを示す発光ダイオード（light-emitting diode、ＬＥＤ）を有するハウジング又はベース上で充電される。この一例は、米国特許第５，９１２，５４６号により提供され、これは、電動ドリル用のバッテリ充電ベースについて開示している。充電ベースは、充電器に設置されたバッテリパックの充電状態を示すＬＥＤライトを有する。自給式呼吸器（self-contained breathing apparatus、ＳＣＢＡ）デバイスなどのその他のデバイスは、システム内の残りの空気レベルを表す警告ディスプレイを含む。米国特許第６，８９９，１０１号は、呼吸ガスの圧力レベルを示す外部警告灯を備え、上にディスプレイが取り付けられたＳＣＢＡレギュレータを提供する。このような警告レベル及びディスプレイは、便利で多くの場合正確であるが、消防署などの環境で、数十個のデバイス及び機器を継続的に監視しなければならない場合、このような複数のデバイスの状態を単一の場所で監視できる合理化された解決策が必要である。
【０００５】
米国特許第８，８５４，１９４号は、既存のゲージ又は温度計などの既存の測定デバイスの外部視覚表示のために、画像センサ又はカメラの存在を必要とする特定のデバイスを遠隔監視する方法を提供する。特に、これらのシステムは、消火器ゲージの写真撮影、及び作業者に撮影された所見を報告することを教示する。しかし、この方法は、ユーザが個々のデバイスのセンサ状態を目視確認できるようにするだけで、複数の機器の状態値を単一の監視場所に報告はしない。
【発明の概要】
【０００６】
開示されたデバイス監視システムは、様々な監視可能デバイス及び機器の重要な即応性値及びパラメータを継続的に監視する働きをし、緊急要員などのユーザが、現場のディスプレイ及び遠隔モバイルデバイスディスプレイを介してこれらのデバイス値にアクセスし閲覧するのに便利な手段を提供する。システムは、特定の監視可能デバイスに連結された低コストのワイヤレスセンサを利用し、このセンサは、デバイスの特定の予め選択されたパラメータの現在値を検出するように構成される。次いで、センサは、この情報を予め選択されたパラメータに関する情報を処理するデータサーバに中継する。データサーバのルールエンジンは、ワイヤレスセンサから受信したデータが、これらの予め選択されたパラメータに関する特定のユーザ定義ルールを満たすかを判定し、次いで、そのデータを、デバイス即応性レポートに表示する。デバイス又は機器の即応性状態は、消防署のモニタなどの監視ディスプレイで、並びに消防指揮官のワイヤレスモバイルデバイスなどの遠隔監視ディスプレイを介して、利用可能になる。このようなモバイルデバイスは、ｉＯＳ又はＡＮＤＲＯＩＤ又はＷＩＮＤＯＷＳデバイスアプリケーション（application、ａｐｐ）、安全なウェブポータル、又はダッシュボードなどを介してなどの様々な手段を使用して開示されたシステムにアクセスできる。監視ディスプレイは、どの機器が準備完了状態であるか、どの機器が準備完了状態でなくなったか、及びシステムのプログラム方法に応じて、任意で、どの機器が準備完了状態でなくなる寸前であるか、を示すことができる。開示されたデバイス監視システムにより、このような監視ディスプレイを、いつでも実質上どこからでも有利に閲覧できるようになり、デバイス即応性状態を遠隔で継続的に監視できるようになる。
【０００７】
米国特許第８，８５４，１９４号と対照的に、本開示は、ワイヤレスセンサが、監視可能デバイス自体に連結され、このセンサが、これらのデバイスの特定の予め選択されたパラメータを直接検出及び報告するシステムを提供する。一例として、本明細書にて開示するワイヤレスセンサは、例えば、第一対応者消火装置（すなわち、消防車、消防ポンプ車など）のバッテリ、又は無線バッテリなどのバッテリ充電レベルを直接検出及び監視するように構成されるように、バッテリなどに連結される。したがって、この監視可能デバイスに直接連結されたワイヤレスセンサを利用する本システムにより、このようなデバイスの非常に高精度なリアルタイム監視が可能になる。
【０００８】
本システムは、機器が使用及び／又は点検の合間に準備完了状態でなくなった場合などに、音声及び／又は視覚的な警告及び警報の形態で、このような監視可能デバイス及び機器にリアルタイム通知を提供する働きを更にする。監視されている機器が、準備完了状態でなくなったときに、電子メール、テキスト、及び／又はＳＭＳ警報を送信し、選択された要員に警告することができる。
【０００９】
本開示の一態様では、監視可能デバイスに連結可能な少なくとも１つのセンサから取得できる、監視可能デバイスの少なくとも１つの即応性パラメータを監視する第一対応者即応性データサーバが提供され、この少なくとも１つのセンサは、監視可能デバイスの少なくとも１つの即応性パラメータの現在値を検出するように構成される。このサーバは、少なくとも１つのセンサから送信された、監視可能デバイスの少なくとも１つの即応性パラメータの現在値に対応するデータを受信するように構成された通信インターフェースと、メモリ及びプロセッサを含む、処理回路と、を有しており、このメモリは、プロセッサと通信し、このメモリは、プロセッサによって実行される際、プロセッサに、監視可能デバイスの少なくとも１つの即応性パラメータの現在値が、少なくとも１つのユーザ定義ルールを満たすか否かを判定すること、及び、監視可能デバイスの少なくとも１つの即応性パラメータの現在値が、少なくとも１つのユーザ定義ルールを満たしているか否かを指示するデバイス状態を判断すること、を実行させる命令を有する、処理回路と、を含む。通信インターフェースは、デバイス状態の指示を監視ディスプレイに送信するように更に構成されている。
【００１０】
本態様の一実施形態では、少なくとも１つのセンサは、以前に検出された値と比較して、監視可能デバイスの少なくとも１つの即応性パラメータの現在値における変化を検出するように構成されている。別の実施形態では、通信インターフェースは、少なくとも１つの即応性パラメータの現在値が、以前に検出された値と比較して変化したという指示を、少なくとも１つのセンサから受信するように更に構成されており、プロセッサは、受信した指示に基づいて警報を生成するように更に構成されており、この警報は、少なくとも１つのユーザ定義ルールが満たされていること、少なくとも１つの即応性パラメータが所望のレベル未満に降下したこと、監視可能デバイスが緊急対応の準備完了状態にあること、監視可能デバイスが準備完了状態でなくなったこと、及び監視可能デバイスが準備完了状態でなくなる寸前であること、のうちの少なくとも１つを指示する。
【００１１】
別の実施形態では、監視ディスプレイは、パーソナルコンピュータ、ラップトップ、及びワイヤレスモバイルデバイスのうちの１つである。別の実施形態では、第一対応者即応性データサーバは、ワイヤレスネットワークを介して遠隔からアクセス可能である。別の実施形態では、第一対応者即応性データサーバは、安全なウェブポータル又は及びモバイルデバイスアプリケーションのうちの１つを介して遠隔アクセス可能である。別の実施形態では、第一対応者即応性データサーバは、クラウドベースのデータサーバである。
【００１２】
別の実施形態では、即応性パラメータは、酸素レベル、空気圧レベル、バッテリ充電レベル、バッテリ電圧レベル、バッテリ寿命残量、陸線接続、ネットワーク接続、燃料レベル、水位、及び温度レベルのうちの１つである。別の実施形態では、監視可能デバイスは、エアパック、ガスマスク、自給式呼吸器（ＳＣＢＡ）タンク、バッテリ、及び燃料タンクのうちの１つである。別の実施形態では、監視可能デバイスの少なくとも１つの即応性パラメータの現在値に対応するデータを、ゲートウェイ装置から受信し、ゲートウェイ装置は、少なくとも１つのセンサからのデータを受信する。
【００１３】
本開示の一態様によれば、監視可能デバイスに連結可能な複数のセンサから取得できる、監視可能デバイスの少なくとも１つの即応性パラメータを監視する第一対応者即応性データサーバが提供され、この複数のセンサ各々は、対応する監視可能デバイスの少なくとも１つの即応性パラメータの現在値を検出するように構成されている。このサーバは、複数のセンサから送信された、複数の監視可能デバイス各々の少なくとも１つの即応性パラメータの現在値に対応するデータを受信するように構成された通信インターフェースと、メモリ及びプロセッサを含む処理回路と、を含み、
このメモリはプロセッサと通信し、このメモリは、プロセッサによって実行される際、プロセッサに、複数の監視可能デバイスのうちの少なくとも１つの少なくとも１つの即応性パラメータの現在値が、以前に検出された値と比較して変化したことを判定すること、少なくとも１つの即応性パラメータの変化した現在値が、少なくとも１つのユーザ定義ルールを満たすか否かを判定すること、及び警報を生成すること、を実行させる命令を有しており、
この警報は、
少なくとも１つのユーザ定義ルールが少なくとも１つの即応性パラメータの変化した現在値によって満たされていること、
少なくとも１つの即応性パラメータの変化した現在値が所望のレベル未満に降下したこと、
少なくとも１つの即応性パラメータの変化した現在値に対応する複数の監視可能デバイスのうちの少なくとも１つが緊急対応の準備完了状態であること、
少なくとも１つの即応性パラメータの変化した現在値に対応する複数の監視可能デバイスのうちの少なくとも１つが準備完了状態でなくなったこと、及び
少なくとも１つの即応性パラメータの変化した現在値に対応する複数の監視可能デバイスのうちの少なくとも１つが準備完了状態でなくなる寸前であること、のうちの少なくとも１つを指示する。
【００１４】
本開示の別の態様では、第一対応者即応性データサーバにおいて、監視可能デバイスに連結可能な少なくとも１つのセンサから取得できる、監視可能デバイスの少なくとも１つの即応性パラメータを監視するための方法が提供され、この少なくとも１つのセンサは、監視可能デバイスの少なくとも１つの即応性パラメータの現在値を検出するように構成されている。この方法は、少なくとも１つのセンサから送信された、監視可能デバイスの少なくとも１つの即応性パラメータの現在値に対応するデータを受信することと、監視可能デバイスの少なくとも１つの即応性パラメータの現在値が、少なくとも１つのユーザ定義ルールを満たすか否かを判定することと、監視可能デバイスの少なくとも１つの即応性パラメータの現在値が、少なくとも１つのユーザ定義ルールを満たしているかどうかを指示するデバイス状態を判定することと、デバイス状態の指示を監視ディスプレイに送信することと、を含む。
【００１５】
本態様の一実施形態によれば、少なくとも１つのセンサは、以前に検出された値と比較して、監視可能デバイスの少なくとも１つの即応性パラメータの現在値における変化を検出するように構成されている。別の実施形態では、この方法は、少なくとも１つの即応性パラメータの現在値が変化したという指示を、少なくとも１つのセンサから受信することと、受信した指示に基づいて警報を生成することと、を更に含み、この警報は、少なくとも１つのユーザ定義ルールが満たされていること、少なくとも１つの即応性パラメータが所望のレベル未満に降下したこと、監視可能デバイスが緊急対応の準備完了状態であること、監視可能デバイスが準備完了状態でなくなったこと、及び監視可能デバイスが準備完了状態でなくなる寸前であること、のうちの少なくとも１つを指示する。
【００１６】
別の実施形態では、監視ディスプレイは、パーソナルコンピュータ、ラップトップ、及びワイヤレスモバイルデバイスのうちの１つである。別の実施形態では、第一対応者データサーバは、ワイヤレスネットワークを介して遠隔アクセス可能である。別の実施形態では、第一対応者データサーバは、安全なウェブポータル又はモバイルデバイスアプリケーションのうちの１つを介して遠隔アクセス可能である。別の実施形態では、第一対応者データサーバは、クラウドベースのデータサーバである。別の実施形態では、即応性パラメータは、酸素レベル、空気圧レベル、バッテリ充電レベル、バッテリ電圧レベル、バッテリ寿命、陸上通信線接続、ネットワーク接続、燃料レベル、水位、及び温度レベルのうちの１つである。別の実施形態では、監視可能デバイスは、エアパック、ガスマスク、自給式呼吸器（ＳＣＢＡ）タンク、バッテリ、及び燃料タンクのうちの１つである。
【図面の簡単な説明】
【００１７】
添付図面と併せて考察すると、以下の発明を実施するための形態を参照することによって、本実施形態のより完全な理解、並びにそれに付随する利点及び特徴がより容易に理解されるであろう。
【図１】本開示の一実施形態によるシステム構成要素のブロック図である。
【図２】本開示の一実施形態によるデータサーバ及びその内部の構成要素のブロック図である。
【図３】本開示の一実施形態による監視可能デバイスの少なくとも１つの即応性パラメータを監視するための例示的プロセスのフロー図である。
【図４】複数の監視可能デバイスを含む、本開示の別の実施形態によるシステム構成要素のブロック図である。
【図５】ワイヤレスゲートウェイ装置を含む、本開示の別の実施形態によるシステム構成要素のブロック図である。
【図６】ワイヤレスゲートウェイ装置及び複数の監視可能デバイスを含む、本開示の別の実施形態によるシステム構成要素のブロック図である。
【図７】本開示の一実施形態による監視可能デバイスの少なくとも１つの即応性パラメータを監視するための代替の例示的プロセスのフロー図である。
【発明を実施するための形態】
【００１８】
本開示による例示的な実施形態を詳細に説明する前に、実施形態は主に、監視可能デバイスの少なくとも１つの即応性パラメータを監視することに関する装置構成要素と、処理工程と、の組み合わせに存在することに留意されたい。したがって、構成要素は、必要に応じて、本明細書の説明の利得を有する当業者に容易に明らかであろう詳細な説明により本開示を不明瞭にしないように実施形態を理解することに関連する特定の詳細のみを示している図面において従来の記号によって表されている。
【００１９】
本明細書で使用される場合、「第１の」、「第２の」、「上部」、及び「下部」などの関係を示す用語は、１つの実体又は要素を別の実体又は要素と単に区別するために、そのような実体同士若しくは要素同士の間の物理的若しくは論理的関係、又は順序を必ずしも必要とする又は意味することなく、使用される。
【００２０】
本開示は、非常用機器などを含む様々なデバイス及び機器を監視するように構成されたデバイス監視システムを提供する。監視対象のデバイス及び機器のタイプは、とりわけ非常事態の形、署のタイプ、要員のタイプ、地理的な位置及び地形などの様々な状況、パラメータ、及び環境に応じて変化することができる。デバイス及び機器のタイプは、監督する場所にデバイス及び機器によって、又は必要に応じて判定することができる。
【００２１】
本開示によるデバイス監視システムは、多数の構成要素を備えることができる。同様の参照符号が同様の要素を示す図面を参照すると、図１に示す例示的実施形態では、デバイス監視システムは、データセンタ１０、及び少なくとも１つの監視可能デバイス１４に連結された少なくとも１つのセンサ１２を含む。センサ１２は、データセンタ１０と通信し、この通信は、有線又は無線接続を介する場合がある。１つのセンサ１２及び１つの監視可能デバイス１４だけが図１に示されているが、各々が対応する監視可能デバイス１４を監視する複数のセンサ１２を含むシステムを有することは、本開示の範囲内である。センサ１２は、監視可能デバイス１４と一体的であってもよく、又は監視可能デバイス１４に取り付けられるか、若しくは別のやり方で接続されてもよい。センサ１２は好ましくは、監視可能デバイス１４の予め選択された少なくとも１つのパラメータの現在値を検出するように構成される。このようなパラメータ及び値の例は、以下に詳細に記載される。センサ１２は好ましくは、以前に検出された値と比較して、監視可能デバイス１４の予め選択されたパラメータの現在値の変化を検出するように更に構成される。センサ１２は、ワイヤレス送信機及び／又は送受信機を含んでもよい。センサ１２は、監視可能デバイス１４の予め選択されたパラメータの現在値に対応するデータ送信、又は以前に検出された値と比較して、監視可能デバイス１４の予め選択されたパラメータの値の検出された変化に対応するデータ送信を、デバイス監視システムの他の構成要素へ行うように構成される。特定の実施形態では、センサ１２は、デバイス監視システムの他のワイヤレス対応構成要素からのワイヤレスデータ送信を受信するように構成される。
【００２２】
特定の実施形態では、例えば図３に示すとおり、デバイス監視システムは、複数の即応性センサ１２を含み、このセンサ各々は、対応する監視可能デバイス１４の予め選択されたパラメータの現在値を検出することができる。特定の実施形態では、デバイス監視システムは、複数の即応性センサ１２を含んでもよく、このセンサ各々は、対応する監視可能デバイス１４の予め選択された複数のパラメータの現在値を、同時に又は個別に検出することができる。特定の実施形態では、デバイス監視システムは、複数の即応性センサ１２を含み、このセンサ各々は、複数の監視可能デバイス１４の予め選択された複数のパラメータの現在値を、同時に又は個別に検出することができる。
【００２３】
監視可能デバイス１４は、任意の電子デバイス若しくは非電子デバイス、又は任意の好適な監視対象の機器であってもよい。このような監視可能デバイスの非排他的例としては、とりわけ、エアパック、ガスマスク、自給式呼吸器（ＳＣＢＡ）タンク、無線バッテリ、車両用バッテリ（消防ポンプ車又は消防車などの第一対応者車両のバッテリなど）が挙げられるがこれらに限定されない充電式又は非充電式デバイスバッテリ、車両燃料タンク、機器燃料タンク、装置水タンク、及び車両水タンクなどの非常用デバイス及び／又は非常用機器が挙げられる。また監視可能デバイス１４は、斧又ははしごなどの非電子機器を含んでもよく、デバイスの有無は、センサ１２に連結されたブラケットを介して検出される。以下に記載されるように、このようなパラメータは監視することができ、報告される状態レベルに対応する。特定の監視可能デバイスとしては、ＳＣＯＴＴエアパック、ＴＹＣＯ（登録商標）Ｏｎ  Ｅｄｇｅ  Ｃｏｎｎｅｃｔ無線機及びデバイスなどが挙げられるがこれらに限定されない、商標登録されたＴＹＣＯ（登録商標）及び／又はＳＣＯＴＴ  ＳＡＦＥＴＹ（登録商標）製品を挙げてもよい。ＳＣＯＴＴ  ＳＡＦＥＴＹ（登録商標）（ＴＹＣＯ（登録商標）Ｉｎｔｅｒｎａｔｉｏｎａｌの事業単位）は、世界中の消防士、警察官、労働者、軍人、国土安全保障部隊（homeland security forces）、及び緊急要員／救急隊員のための保護機器及び安全デバイスの製造業者である。本開示により、ＳＣＯＴＴ  ＳＡＦＥＴＹ（登録商標）デバイスを有効に使用できるようになる。ある種のバッテリ駆動遠隔ＳＣＯＴＴ  ＳＡＦＥＴＹ（登録商標）デバイスは、監視対象の機器のデータを蓄積及び報告するように設計されている。開示されたデバイス監視システムは、ＴＷＡＩＮ互換スキャナを利用する汎用性を更に有する。ＴＷＡＩＮは、アプリケーションプログラミングインターフェース（Applications Programming Interface、ＡＰＩ）、及びソフトウェアとスキャナなどのデジタルイメージングデバイスとの間の通信を調整する通信プロトコルとして、当該技術分野において既知である。
【００２４】
開示されたデバイス監視システムによる監視対象のパラメータは、監視対象のデバイスのタイプに基づいており、他のパラメータの中でもとりわけ、酸素レベル、空気圧レベル、バッテリ充電／電圧レベル、バッテリ寿命、陸上通信線接続、ネットワーク接続、燃料レベル、水位、及び温度レベルを非排他的に含む。これらの監視対象のパラメータの適切な単位値は、当業者によって決定してもよい。例えば、空気圧値は、平方インチ当たりの重量ポンド（ｐｓｉ）、又は更にパスカル（Ｐａ）の単位で検出してもよく、燃料レベルは、液量オンスの単位で検出してもよく、温度は、摂氏度又は華氏度で検出してもよい。
【００２５】
図１は、有線又は無線のいずれかで少なくとも１つのセンサ１２と通信できる、データサーバ１０を含むデバイス監視システムを示す。本開示の特定の実施形態では、データサーバ１０は、クラウドベースのデータサーバである。データサーバ１０は、ワイヤレスネットワーク、セルラーネットワーク、安全なウェブポータル、モバイルデバイスアプリケーションなどの様々な手段で遠隔アクセスしてもよい。
【００２６】
図２は、一実施形態における、データサーバ１０の例示的な構成要素を示すブロック図である。データサーバ１０は、プロセッサ２０及びメモリ２２を備える処理回路１８と、通信インターフェース２４と、を含み、ここでメモリ２２は、デバイス状態判定コード２６を格納することができる。通信インターフェース２４は、ワイヤレス送信機及び／又は送受信機を含んでもよい。
【００２７】
従来のプロセッサ及びメモリに加えて、処理回路１８は、例えば、１つ以上のプロセッサ、及び／又はプロセッサコア、及び／又はＦＰＧＡ（フィールドプログラマブルゲートアレイ）、及び／又はＡＳＩＣ（特定用途向け集積回路）などを処理及び／又は制御するための集積回路を含んでもよい。データサーバ１０の動作を制御するプロセッサ２０は、メモリ２２にアクセスする（例えば、書き込み及び／又は読み取り）ように構成してもよく、メモリ２２は、例えば、キャッシュメモリ、及び／又はバッファメモリ、及び／又はＲＡＭ（ランダムアクセスメモリ）、及び／又はＲＯＭ（読み取り専用メモリ）、及び／又は光メモリ、及び／又はＥＰＲＯＭ（消去可能プログラム可能ＲＯＭ）などの任意の種類の揮発性及び／又は不揮発性メモリを含んでもよい。このようなメモリ２２は、プロセッサ２０によって実行可能なコード、及び／又は他のデータ、例えば、ノードの構成及び／若しくはアドレスデータなどの、例えば通信に関係するデータなどを格納するように構成してもよい。メモリ２２は、プロセッサ２０によって実行される際、本明細書に記載されたデータサーバ１０によって実行される処理を行うようにプロセッサ２０を構成する命令を有する。データサーバ１０は、図２に示されていない追加の構成要素を含んでもよい。
【００２８】
データサーバ１０の通信インターフェース２４は、センサ１２から、及び／又はデバイス監視システムの他の構成要素から送信されたデータを受信するように構成される。特定の実施形態では、データサーバ１０の通信インターフェース２４は、センサに、及び／又はデバイス監視システムの他の構成要素にデータを送信するように構成される。一実施形態では、データサーバ１０とセンサ１２及び／又はデバイス監視システムの他の構成要素との間の通信は無線送信である。開示されたデバイス監視システムの種々のワイヤレス対応構成要素間の無線送信は、任意の好適な従来のワイヤレスシステム、ネットワーク、及び／又はプロトコルを使用して達成することができる。このようなワイヤレスシステムの例としては、Ｂｌｕｅｔｏｏｔｈ（登録商標）ネットワーク、セルラーネットワーク、ワイヤレスローカルエリアネットワーク（wireless local area network、ｗＬＡＮ）、Ｚｉｇｂｅｅ（登録商標）ネットワーク、ＴｙｃｏＮｅｔ（商標）ネットワーク、及び／又はデバイス間の無線通信の任意の他の好適な手段を挙げてもよい。モノのインターネット（Internet of Things、ＩｏＴ）は、電子機器、ソフトウェア、センサ、及びネットワーク接続性が埋め込まれた物理オブジェクト又は「モノ」のネットワークとして、当該技術分野において既知であり、これらのオブジェクトは、モノのインターネットより、既存のネットワークインフラにわたってデータを収集及び交換できるようになる。したがって、当業者は、本明細書にて開示するデータサーバ１０が、デバイス監視システムのワイヤレス対応構成要素の中から、少なくとも１つのワイヤレスセンサ１２とどのように無線通信できるかを明確かつ容易に確認するであろう。
【００２９】
データサーバ１０は、コンピュータ可読コードの形態のシステムソフトウェアを実行することによって、データを処理するように更に構成される。データサーバ１０は、ハードディスクドライブ、フラッシュドライブなどの任意の好適な従来の記憶手段であるストレージコンポーネントを含み得るメモリ２２を含む。特定の実施形態では、ストレージコンポーネントは、仮想コンピュータ上に位置してもよく、データをホストする実際のハードウェア及びソフトウェアは時間の経過とともに変化してもよい。特定の実施形態では、データサーバ１０及びその演算コンポーネントは、（図５に示す及び以下に記載されるように）ワイヤレスゲートウェイ装置２８内に存在してもよい。他の実施形態では、データサーバ１０及びその演算コンポーネントは、ラップトップなどのコンピュータ内、又は携帯電話若しくはタブレットなどのワイヤレス携帯式モバイルデバイス内に存在してもよい。これらの場合、別個のデータサーバ１０は必須ではなく、ゲートウェイ装置２８又は携帯電話又はコンピュータなどに内蔵又は一体化される。
【００３０】
本開示によれば、メモリ２２内に格納されたシステムソフトウェアは、データサーバ１０のプロセッサ２０によって、又はデバイス監視システムの他の好適な構成要素によって実行可能なコンピュータ可読コードであるデバイス状態判定コード２６を含んでもよい。特定の実施形態では、システムソフトウェアは、以下に記載されるように、ワイヤレスゲートウェイ装置２８によって実行してもよい。他の実施形態では、システムソフトウェアは、ソフトウェアを実行する基地局コンピュータ又はラップトップ、ソフトウェアを実行するワイヤレスモバイルデバイスなどの演算能力を有する他のデバイスによって実行してもよい。
【００３１】
コンピュータ可読コードは、少なくとも１つのユーザ定義ルールを監視可能デバイス１４の予め選択されたパラメータの現在値に適用するように構成されたルールエンジンモジュールを含む。ルールエンジンモジュールへのアクセスが許可されたユーザは、システムソフトウェアの対応するフィールドに検出又は監視対象の任意の所望のパラメータを入力することができる。ユーザは、これらの予め選択されたパラメータとそれらの値を監視するように特定のルールを定義することができる。ルールエンジンモジュールは、監視可能デバイス１４によって少なくとも１つのユーザ定義ルールが満たされているかどうかを判定するように構成される。例えば、ユーザは、特定の機器の温度が３２°Ｆ未満に下がったときに、望ましくない結果を反映するようなルールを定義することができる。
【００３２】
図３は、本開示の例示的なプロセスを示すフロー図である。図３によれば、指示（すなわち、センサレポート）をセンサ１２から受信する（ブロックＳ３１０）。ここで、指示は、即応性パラメータの特定の値が感知又は検知されたこと（ブロックＳ３２０）を示す、センサ１２からのレポートを含む。システムソフトウェアは、即応性パラメータの現在値が変化したかどうかを判定するためにチェックする（ブロックＳ３３０）。即応性パラメータの現在値が変更した場合（ＹＥＳ）、警報をトリガしてよく（ブロックＳ３４０）、ルールエンジンが、変化した現在値がユーザ定義ルールを満たすかどうかを判定し（ブロックＳ３５０）、即応性パラメータの変化した現在値がユーザ定義ルール（例えば、空気圧レベルが特定のＰＳＩレベルを下回る）に基づいて応答をトリガするかどうかも判定する。ＮＯの場合は、ルールエンジンは先へ進み、チェックするルールを更に探す（ブロックＳ３６０）。ＹＥＳの場合は、デバイス状態が提供され（ブロックＳ３７０）、いくつかの実施形態では、監視ディスプレイ上に表示され、ユーザにより閲覧される。
【００３３】
コンピュータ可読コードは、プロセッサ２０によって実行することができ、監視可能デバイス１４によって少なくとも１つのユーザ定義ルールが満たされているかどうかを指示する、監視可能デバイス状態レポートなどのデータレポートを提供することができる。特定の実施形態では、デバイス状態レポートは、少なくとも１つのユーザ定義ルールが満たされていることを指示する。例えば、デバイス状態レポートは、消防車若しくは消防ポンプ車（すなわち、「消火装置」）などの第一対応者車両のバッテリ、又は無線バッテリなどが完全に充電されているかどうかを指示することができる。他の実施形態では、デバイス状態レポートは、少なくとも１つのユーザ定義ルールが満たされていないことを指示する。例えば、デバイス状態レポートは、ルールエンジンモジュールに入力したルールパラメータに基づいて、ＳＣＢＡ空気レベルが低いことを指示することができる。デバイス状態レポートは、上述のように、１つ以上のセンサ１２に関連するデータレポートを含んでもよく、１つ以上の監視可能デバイス１４の１つ以上のパラメータに関連してもよい。したがって、特定のデバイス状態レポートは、単一の監視可能デバイス１４の単一の値レベルを提供してもよい。他のデバイス状態レポートは、多数の監視可能デバイス１４からの複数の値レベルを提供してもよい。このようなデバイス状態レポートは、棒グラフ、線グラフ、円グラフ、スプレッドシートなどの任意の好適なフォーマットで提供されてもよい。デバイス状態レポートは、英数字であってもよい。このようなデータレポートは、データサーバ１０に格納されてもよく、好ましくはワイヤレスネットワーク又はシステムを介して遠隔アクセス可能である。
【００３４】
一実施形態では、情報は、データセンタ１０から１つ以上の監視ディスプレイ１６に送信してもよい。監視ディスプレイ１６は、データサーバ１０と有線又は無線通信できる。監視ディスプレイ１６は、データセンタ１０又は他のデバイスと通信する、ワイヤレス送信機及び／又は送受信機を含んでもよい。監視ディスプレイ１６は、データサーバ１０のデータを表示することができる任意の好適なデバイスであってもよい。好適な監視ディスプレイの例としては、テレビディスプレイ、パーソナルコンピュータ若しくはラップトップ、又は携帯電話若しくはタブレットなどのワイヤレスモバイルデバイスが非排他的に挙げられる。本開示の特定の実施形態では、テレビディスプレイなどのローカル監視ディスプレイ１６は、消防署などの現場に存在しており、ワイヤレスモバイルデバイスなどの１つ以上の追加の監視ディスプレイ１６は、データサーバ１０のデータに遠隔アクセスするために使用してもよい。このような遠隔監視ディスプレイ１６により、ユーザは、消防署又は警察署などで、監視可能デバイス１４の状態を遠隔監視できるようになる。したがって、消防署又は警察署などにいる人は、テレビディスプレイを監視でき、消防署又は警察署などにいない人は、追加の監視ディスプレイ１６として与えられたワイヤレスモバイルデバイスによって、このような署にあるデータを遠隔で監視できる。好ましくは、監視ディスプレイ１６（単数又は複数）は、少なくとも１つのセンサ１２によって検出され、データサーバ１０によって処理されるような、少なくとも１つの監視可能デバイス１４のリアルタイム値に対応するデバイス状態レポートを表示することができる。
【００３５】
デバイス監視システムは、デバイス状態レポートに対応する音声及び／又は視覚的な警報を提供し、監視可能デバイス１４によって少なくとも１つのユーザ定義ルールが満たされているか、又は満たされていないかのいずれかを指示するように構成してもよい。このような警報は、好ましくは、データサーバ１０のルールエンジンから発信され、ワイヤレスネットワーク、ワイヤレスインターネット接続などを介してデータサーバ１０から監視ディスプレイ１６に送信される。あるいは、警報は、商標登録されたＴＹＣＯ（登録商標）ワイヤレスプロトコルを使用して、データサーバ１０と監視ディスプレイ１６との間で送信してもよい。警報は、適切な要員の注意を喚起し、その要員に１つ以上の監視可能デバイス１４が注意を必要とし得ることを通知するためのものである。特定の実施形態では、ポジティブ警報は、少なくとも１つのユーザ定義ルールが満たされていること、又は事前設定値が所望のレベルに達したこと、若しくは超えたことを指示することができる。ポジティブ警報は、「タンク満杯」若しくは「バッテリ充電済」などのポジティブ状態メッセージを示す音声若しくは発光ダイオード（light emitting diode、ＬＥＤ）ライト、又はポジティブ状態メッセージを示すための緑色ライトなどの色付きＬＥＤライトのように単純であり得る、音声及び／又は視覚的な通知を含んでもよい。特定の実施形態では、警報は、少なくとも１つのユーザ定義ルールが満たされていないこと、又は事前設定値が所望のレベル未満に下がったことを指示することができる。このような警報の例としては、とりわけ、低温警告、凍結警告、低水警告、低燃料警告、低バッテリ警告、低空気圧警告、低酸素警告、及びネットワーク接続の喪失が非排他的に挙げられる。警報は、「タンク空」若しくは「バッテリ残量少」などのネガティブ状態メッセージを示す音声若しくはＬＥＤライト、又はネガティブ状態メッセージを示すための黄色若しくは赤色ライトなどの色付きＬＥＤライトのように単純であり得る、音声及び／又は視覚的な通知を含んでもよい。特定の実施形態では、警報は、デバイス状態レポートに対応する、電子メール、テキスト、又はショートメッセージサービス（short message service、ＳＭＳ）メッセージを含んでもよい。
【００３６】
上述のように、各々が対応センサ１２を有する２つ以上の監視デバイス１４は、図４に示すように、データをデータサーバ１０に送信することができる。図４には、監視デバイス１４ａ、１４ｂ、及び１４ｃ（一括して「監視デバイス１４」と称される）が示されるが、各々が対応センサ１２ａ、１２ｂ、及び１２ｃ（一括して「センサ１２」と称される）を有する任意の数の監視デバイス１４を含むことは、本開示の範囲内である。一実施形態では、単一のセンサ１２は、２つ以上の監視可能デバイス１４を監視できる。
【００３７】
本開示の別の実施形態では、開示されたデバイス監視システムは、図５及び図６に示すように、ワイヤレスゲートウェイ装置２８などの通信命令ゲートウェイを含む。ゲートウェイ装置２８は、Ｗｉ−Ｆｉ若しくはＺｉｇｂｅｅ（登録商標）、Ｂｌｕｅｔｏｏｔｈ（登録商標）、又は他のローカルネットワーキングプロトコルなどの技術によって、ローカルワイヤレスセンサと通信できる装置である。ゲートウェイ装置２８は、イーサネット又はセルラーネットワークなどのネットワーキング技術を使用して、センサ１２とシステムの他の構成要素との間で情報を送信する働きをする。ゲートウェイ装置２８は、マイクロプロセッサ、及び／又はフラッシュ若しくはハードドライブなどのストレージコンポーネントを含んでもよい。任意に、ゲートウェイ装置２８は、データサーバ１０として動作することができ、データサーバ１０に加えて、又はその代わりに、システムソフトウェア及びルールエンジンモジュール自体を含むことができる。特定の実施形態では、ゲートウェイ装置２８は、少なくとも１つのセンサ１２からデータサーバ１０に送信されるワイヤレス信号の強度を増加させる働きをする。これらの実施形態では、ゲートウェイ装置２８は、少なくとも１つのセンサ１２及びデータサーバ１０と無線通信でき、ワイヤレスゲートウェイ装置もまた、少なくとも１つのワイヤレスセンサからデータサーバにワイヤレスデータ送信を送信するように構成される。特定の実施形態では、ゲートウェイ装置２８は、少なくとも１つのセンサ１２からのデータ送信を受信し、データサーバ１０を介する代わりに、データ送信自体を処理する働きをする。
【００３８】
いくつかの実施形態では、ゲートウェイ装置２８は、処理後のデータをデータサーバ１２に無線送信するか、さもなければ、このような処理後のデータをデータサーバ１０にアップロードする。いくつかの実施形態では、ゲートウェイ装置２８が、データを処理し、データを格納し、コンピュータ可読コードを実行できるように、ゲートウェイ装置２８は、メモリコンポーネント、ストレージコンポーネント、及びプロセッサを含むスタンドアロンワイヤレス送受信機を含んでもよい。メモリコンポーネントは、ＲＡＭ（ランダムアクセスメモリ）コンポ−ネント、フラッシュメモリコンポ−ネントなどの任意の好適なメモリを含んでもよい。ストレージコンポーネントは、ハードディスクドライブ、フラッシュドライブなどの任意の好適な従来の記憶手段を含んでもよい。プロセッサは、ワイヤレスゲートウェイ装置２８によって受信されるデータを処理するのに適した、マイクロプロセッサ又は任意の従来の処理コンポーネントを含んでもよい。特定の実施形態では、ゲートウェイ装置２８は、商標登録されたＴｙｃｏＯｎ（商標）ゲートウェイなどの商標登録されたＴＹＣＯ（登録商標）ゲートウェイデバイスを含む。
【００３９】
実際には、本開示は、上述のようなデバイス監視システムを提供する第１ステップを含む、デバイス１４の監視方法を提供する。この方法は、上述のセンサ１２を介して、上述の監視可能デバイス１４の予め選択された即応性パラメータの現在値を検出することを更に含む。上述のようにシステムソフトウェアを介して、ユーザが監視可能デバイス１４の所望のパラメータを選択し、ルールエンジンに入力する。センサ１２は、監視可能デバイス１４の予め選択された即応性パラメータの現在値を検出する。現在値は、上述のように、ユーザによって選択された、温度、圧力（平方インチ当たりの重量ポンド（ＰＳＩ））、流体レベルなどの、任意の好適なパラメータであり得る。
【００４０】
本明細書に記載された方法は、上述のように、監視可能デバイス１４の予め選択された即応性パラメータの現在値に対応するデータ送信をデータサーバ１０に送信することを更に含む。一実施形態では、データ送信は、上述のように、任意の好適なワイヤレスネットワーク上で行うことができる。この方法は、少なくとも１つのユーザ定義ルールを、監視可能デバイス１４の予め選択された即応性パラメータの現在値に適用するように構成されたルールエンジンモジュールを含むコンピュータ可読コードを実行することによって、データサーバ１０を介してデータを受信及び処理することと、監視可能デバイス１４によって少なくとも１つのユーザ定義ルールが満たされているかどうかを、ルールエンジンを介して判定することと、を更に含む。
【００４１】
本明細書に記載された方法は、監視可能デバイス１４によって少なくとも１つのユーザ定義ルールが満たされているかどうかを示すデバイス状態レポートを、コンピュータ可読コードを介して提供することを更に含む。デバイス状態レポートは、英数字形式、図表形式、スプレッドシート形式などの、上述のような任意の好適なフォーマットで提供されてもよい。本明細書記載の方法は、上述の監視ディスプレイ１６を介してデバイス状態レポートを表示することを更に含む。好適な監視ディスプレイ１６については、上述したとおりであり、複数の監視ディスプレイ１６を同時に使用してもよい。
【００４２】
本明細書記載の方法は、監視可能デバイス１４によって少なくとも１つのユーザ定義ルールが満たされているか又は満たされていないかのいずれかを指示する警報を提供することを含む。上述のように、警報は、音響的、触覚的、及び／又は視覚的な警報であってもよく、これらは、光及び／若しくは音、又は電子メール、テキスト、若しくはＳＭＳメッセージなどの送信メッセージなどの任意の好適なフォーマットであってよい。
【００４３】
開示されたシステムは、警察署又は消防署の非常用機器などの、特定のデバイスの即応性状態を継続的に監視できる。このシステムは、緊急要員が現場又は現場外で、このような機器の準備完了状態を監視する手段を提供する。このシステムは、機器が使用又は点検の合間に準備完了状態でなくなった場合に、リアルタイム警報を提供する。ユーザは、遠隔又は現場にいるかにかかわらず、１つ又は複数のデバイスが準備完了状態でなくなったという事実の警報を受け取ることができる。次いで、ユーザは、消防署のモニタを介して、又はモバイルデバイスアプリなどを介して、対応するデバイス状態リポートを、ログオンするか、又は他の方法で閲覧する。デバイス状態レポートに基づいて、このデバイスを準備完了状態に戻すためのアクションが必要であることをユーザに通知する。
【００４４】
図７は、本開示による例示的な方法Ｓ７００を示すフロー図である。データサーバ１０などの第一対応者即応性データサーバ中の方法Ｓ７００は、監視可能デバイス１４に連結可能な少なくとも１つのセンサ１２から取得できる、監視可能デバイス１４の少なくとも１つの即応性パラメータを監視するためのものであり、この少なくとも１つのセンサ１２は、監視可能デバイス１４の少なくとも１つの即応性パラメータの現在値を検出するように構成される。一実施形態では、方法Ｓ７００は、少なくとも１つのセンサ１２から送信された、監視可能デバイス１４の少なくとも１つの即応性パラメータの現在値に対応するデータを受信することと（ブロックＳ７１０）、監視可能デバイス１４の少なくとも１つの即応性パラメータの現在値が、少なくとも１つのユーザ定義ルールを満たすかを判定することと（ブロックＳ７２０）、監視可能デバイス１４の少なくとも１つの即応性パラメータの現在値が、少なくとも１つのユーザ定義ルールを満たしているかを示すデバイス状態を判定することと（ブロックＳ７３０）、デバイス状態の指示を監視ディスプレイ１６に送信することと（ブロックＳ７４０）、を含む。
【００４５】
次の非限定的な実施例は、本発明を例証するのに役立つ。本開示の構成要素の要素における割合及び選択肢の変化は、当業者には明白であり、本開示の範囲内であると理解されよう。
【実施例】
【００４６】
以下のセンサ表及びセンサルールは、本開示の実施例に適用される。
【００４７】
【表１】
2019516298.tif 000003
【００４８】
【表２】
2019516298.tif 000004
【００４９】
（実施例１）
消防ポンプ車の水タンクには、水タンクに連結されたワイヤレスセンサが備えられており、それによって、センサが、タンク内の水位の現在値を検出できる。ワイヤレスセンサは、水位の現在値を定期的に検出し、そのデータを無線通信するデータサーバに無線送信する。データサーバは、ユーザ定義ルールを消防ポンプ車の水位の現在値に適用するように構成されたルールエンジンモジュールを含むコンピュータ可読コードを実行する。センサ表及びセンサルールのルール１によると、水位の現在値が９０ガロンを上回っている場合、プログラムされたユーザ定義ルールを満たし、デバイス状態判定コード２６などのコンピュータ可読コードを介して、対応するデバイス状態レポートが作成される。次いで、結果が署内のテレビディスプレイ及び任意の他の遠隔接続された監視ディスプレイに表示され、それは次いで、ルール１に従って、水位状態が許容範囲内であることを示す緑色のアイコンを表示する。警告警報は送信されない。
【００５０】
（実施例２）
消防ポンプ車の水タンクには、水タンクに連結されたワイヤレスセンサが備えられており、それによって、センサが、タンク内の水位の現在値を検出できる。ワイヤレスセンサは、水位の現在値を定期的に検出し、そのデータを無線通信するデータサーバに無線送信する。データサーバは、ユーザ定義ルールを消防ポンプ車の水位の現在値に適用するように構成されたルールエンジンモジュールを含むコンピュータ可読コードを実行する。センサ表及びセンサルールのルール２によると、水位の現在値が９１ガロン未満の場合、プログラムされたユーザ定義ルールを満たさず、デバイス状態判定コード２６などのコンピュータ可読コードを介して、対応するデバイス状態レポートが作成される。次いで、結果が署内のテレビディスプレイ及び任意の他の遠隔接続された監視ディスプレイに表示され、それは次いで、低水位状態が検知されたことを示す黄色のアイコンを表示する。警報音が、予め選択された連絡グループの選ばれた職員に送信され、この状況を改善することができる。
【００５１】
（実施例３）
消防ポンプ車の水タンクには、水タンクに連結されたワイヤレスセンサが備えられており、それによって、センサが、タンク内の水位の現在値を検出できる。ワイヤレスセンサは、水位の現在値を定期的に検出し、そのデータを無線通信するデータサーバに無線送信する。データサーバは、ユーザ定義ルールを消防ポンプ車の水位の現在値に適用するように構成されたルールエンジンモジュールを含むコンピュータ可読コードを実行する。センサ表及びセンサルールのルール３によると、水位の現在値が５０ガロン未満の場合、プログラムされたユーザ定義ルールを満たさず、デバイス状態判定コード２６などのコンピュータ可読コードを介して、対応するデバイス状態レポートが作成される。次いで、結果が署内のテレビディスプレイ及び任意の他の遠隔接続された監視ディスプレイに表示され、それは次いで、低水位状態が検知されたことを示す赤色のアイコンを表示する。警報音が、予め選択された連絡グループの全員に送信され、この状況を改善することができる。
【００５２】
（実施例４）
消防署職員のＳＣＢＡ（自給式呼吸器）には、装置に連結されたワイヤレスセンサが備えられており、それによって、センサが、装置内の酸素レベルの現在値を検出できる。ワイヤレスセンサは、酸素レベルの現在値を定期的に検出し、そのデータを無線通信するデータサーバに無線送信する。データサーバ１０は、ユーザ定義ルールをＳＣＢＡの酸素レベルの現在値に適用するように構成されたルールエンジンモジュールを含むデバイス状態判定コード２６などのコンピュータ可読コードを実行する。センサ表及びセンサルールのルール４によると、酸素レベルの現在値が９０ｐｓｉを上回っている場合、プログラムされたユーザ定義ルールを満たし、コンピュータ可読コードを介して、対応するデバイス状態レポートが作成される。次いで、結果が署内のテレビディスプレイ及び任意の他の遠隔接続された監視ディスプレイに表示され、それは次いで、ルール４に従って、そのＳＣＢＡユニットの酸素レベルが許容範囲内であることを示す「フルＳＣＢＡ」アイコンを表示する。警告警報は送信されない。
【００５３】
（実施例５）
消防署職員のＳＣＢＡ（自給式呼吸器）には、装置に連結されたワイヤレスセンサが備えられており、それによって、センサが、装置内の酸素レベルの現在値を検出できる。ワイヤレスセンサは、酸素レベルの現在値を定期的に検出し、そのデータを無線通信するデータサーバに無線送信する。データサーバは、ユーザ定義ルールをＳＣＢＡの酸素レベルの現在値に適用するように構成されたルールエンジンモジュールを含むコンピュータ可読コードを実行する。センサ表及びセンサルールのルール５によると、酸素レベルの現在値が９１ｐｓｉ未満の場合、プログラムされたユーザ定義ルールを満たし、デバイス状態判定コード２６などのコンピュータ可読コードを介して、対応するデバイス状態レポートが作成される。次いで、結果が署内のテレビディスプレイ及び任意の他の遠隔接続された監視ディスプレイに表示され、それは次いで、そのＳＣＢＡユニットが低酸素レベル状態であることを示す「低ＳＣＢＡ」アイコンを表示する。警報音が、予め選択された連絡グループの選ばれた職員に送信され、この状況を改善することができる。
【００５４】
いくつかの実施形態には、以下を含む。
実施形態１．
ａ）監視可能デバイスに連結された少なくとも１つのワイヤレスセンサであって、監視可能デバイスの予め選択されたパラメータの現在値を検出するように構成されており、監視可能デバイスの予め選択されたパラメータの現在値に対応するワイヤレスデータ送信を行うことができる少なくとも１つのワイヤレスセンサと、
ｂ）少なくとも１つのワイヤレスセンサと無線通信できるデータサーバであって、少なくとも１つのワイヤレスセンサから送信されたデータを受信するように構成されており、かつ少なくとも１つのユーザ定義ルールを監視可能デバイスの予め選択されたパラメータの現在値に適用するように構成されたルールエンジンモジュールを含むコンピュータ可読コードを実行することにより、前記データを処理するように構成されており、ルールエンジンモジュールは、監視可能デバイスによって少なくとも１つのユーザ定義ルールが満たされているかどうかを判定するように構成されており、コンピュータ可読コードは、監視可能デバイスによって少なくとも１つのユーザ定義ルールが満たされているかどうかを指示するデバイス状態レポートを提供するように構成されている、データサーバと、
ｃ）データサーバと有線又は無線で通信することができ、データサーバのデータを表示することのできる監視ディスプレイと、を含む、デバイス監視システム。
実施形態２．少なくとも１つのワイヤレスセンサは、以前に検出された値と比較することにより、監視可能デバイスの予め選択されたパラメータの現在値における変化を検出することができる、実施形態１に記載のデバイス監視システム。
実施形態３．少なくとも１つのワイヤレスセンサ及びデータサーバと無線通信することのできるワイヤレスゲートウェイ装置であって、少なくとも１つのワイヤレスセンサからデータサーバにワイヤレスデータ送信を送信するように構成されたワイヤレスゲートウェイ装置を更に含む、実施形態１に記載のデバイス監視システム。
実施形態４．監視ディスプレイは、パーソナルコンピュータ又はラップトップを含む、実施形態１に記載のデバイス監視システム。
実施形態５．監視ディスプレイは、ワイヤレスモバイルデバイスを含む、実施形態１に記載のデバイス監視システム。
実施形態６．データサーバは、ワイヤレスネットワーク又はシステムを介して遠隔アクセス可能である、実施形態１に記載のデバイス監視システム。
実施形態７．データサーバは、安全なウェブポータル又はモバイルデバイスアプリケーションを介して遠隔アクセス可能である、実施形態１に記載のデバイス監視システム。
実施形態８．データサーバはが、クラウドベースのデータサーバを含む、実施形態１に記載のデバイス監視システム。
実施形態９．複数のワイヤレスセンサを含み、このセンサ各々は、別個の監視可能デバイスの予め選択されたパラメータの現在値を検出することができる、実施形態１に記載のデバイス監視システム。
実施形態１０．
ａ）監視可能デバイスに連結された少なくとも１つのワイヤレスセンサであって、監視可能デバイスの予め選択されたパラメータの現在値を検出するように構成されており、かつ監視可能デバイスの予め選択されたパラメータの現在値に対応するワイヤレスデータ送信を行うことができる少なくとも１つのワイヤレスセンサと、
ｂ）少なくとも１つのワイヤレスセンサと無線通信することのできるワイヤレスゲートウェイ装置であって、少なくとも１つのワイヤレスセンサから送信されたデータを受信するように構成されており、かつ少なくとも１つのユーザ定義ルールを監視可能デバイスの予め選択されたパラメータの現在値に適用するように構成されたルールエンジンモジュールを含むコンピュータ可読コードを実行することにより、前記データを処理するように構成されており、ルールエンジンモジュールは、監視可能デバイスによって少なくとも１つのユーザ定義ルールが満たされているかどうかを判定するように構成されており、コンピュータ可読コードは、監視可能デバイスによって少なくとも１つのユーザ定義ルールが満たされているかどうかを指示するデバイス状態レポートを提供するように構成されている、ワイヤレスゲートウェイ装置と、
ｃ）ワイヤレスゲートウェイ装置と無線通信することのできるデータサーバであって、ワイヤレスゲートウェイ装置から無線送信されたデータを受信するように構成されているデータサーバと、
ｄ）データサーバと有線又は無線で通信することができ、データサーバからのデータを表示することのできる監視ディスプレイと、を含む、デバイス監視システム。
実施形態１１．ワイヤレスゲートウェイ装置は、メモリコンポーネント、ストレージコンポーネント、及びマイクロプロセッサを含む、スタンドアロンワイヤレス送受信機を含む、実施形態１０に記載のデバイス監視システム。
実施形態１２．データサーバは、クラウドベースのデータサーバを含む、実施形態１０に記載のデバイス監視システム。
実施形態１３．
Ｉ）
ａ）監視可能デバイスに連結された少なくとも１つのワイヤレスセンサであって、監視可能デバイスの予め選択されたパラメータの現在値を検出するように構成されており、かつ監視可能デバイスの予め選択されたパラメータの現在値に対応するワイヤレスデータ送信を行うことができる少なくとも１つのワイヤレスセンサと、
ｂ）少なくとも１つのワイヤレスセンサと無線通信することのできるデータサーバであって、少なくとも１つのワイヤレスセンサから送信されたデータを受信するように構成されており、かつ少なくとも１つのユーザ定義ルールをこの監視可能デバイスの予め選択されたパラメータの現在値に適用するように構成されたルールエンジンモジュールを含むコンピュータ可読コードを実行することにより、前記データを処理するように構成されており、ルールエンジンモジュールは、監視可能デバイスによって少なくとも１つのユーザ定義ルールが満たされているかどうかを判定するように構成されており、コンピュータ可読コードは、監視可能デバイスによって少なくとも１つのユーザ定義ルールが満たされているかどうかを指示するデバイス状態レポートを提供するように構成されている、データサーバと、
ｃ）データサーバと有線又は無線で通信することができ、データサーバからのデータを表示することのできる監視ディスプレイと、を含む、デバイス監視システムを提供することと、
ＩＩ）無線センサを介して、監視可能デバイスの予め選択されたパラメータの現在値を検出することと、
ＩＩＩ）監視可能デバイスの予め選択されたパラメータの現在値に対応するワイヤレスデータ送信をデータサーバに送信することと、
ＩＶ）少なくとも１つのユーザ定義ルールを、監視可能デバイスの予め選択されたパラメータの現在値に適用するように構成されたルールエンジンモジュールを含むコンピュータ可読コードを実行することによって、データサーバを介してデータを受信及び処理することと、監視可能デバイスによって少なくとも１つのユーザ定義ルールが満たされているかどうかを、ルールエンジンを介して判定することと、
Ｖ）監視可能デバイスによって少なくとも１つのユーザ定義ルールが満たされているかどうかを指示するデバイス状態レポートを、コンピュータ可読コードを介して提供することと、
ＶＩ）監視ディスプレイを介してデバイス状態レポートを表示することと、を含む、デバイスの監視方法。
実施形態１４．監視可能デバイスによって少なくとも１つのユーザ定義ルールが満たされているか又は満たされていないかのいずれかを指示する警報を提供することを更に含む、実施形態１３に記載の方法。
実施形態１５．警報は、音声及び／又は視覚的な警報を含む、実施形態１４に記載の方法。
実施形態１６．警報は、電子メール、テキスト、又はＳＭＳメッセージを含む、実施形態１５に記載の方法。
実施形態１７．データサーバは、ワイヤレスネットワーク又はシステムを介して遠隔アクセス可能である、実施形態１３に記載の方法。
実施形態１８．データサーバは、安全なウェブポータル又はモバイルデバイスアプリケーションを介して遠隔アクセス可能である、実施形態１３に記載の方法。
実施形態１９．データサーバは、クラウドベースのデータサーバを含む、実施形態１３に記載の方法。
実施形態２０．デバイス監視システムは、複数のワイヤレスセンサを含み、センサ各々は、別個の監視可能デバイスの予め選択されたパラメータの現在値を検出することができる、実施形態１３に記載の方法。
【００５５】
当業者には理解されるように、本明細書に記載された概念は、方法、データ処理システム、及び／又はコンピュータプログラム製品として具現化されてよい。したがって、本明細書に記載された概念は、全体的にハードウェアの実施形態、全体的にソフトウェアの実施形態、又はソフトウェア及びハードウェアの態様を組み合わせた実施形態の形態を取ることができ、すべて概ね本明細書では「回路」又は「モジュール」と称される。更に、本開示は、コンピュータによって実行可能な、媒体に具現化されたコンピュータプログラムコードを有する、有形コンピュータ使用可能記憶媒体上のコンピュータプログラム製品の形態をとることができる。ハードディスク、ＣＤ−ＲＯＭ、電子記憶デバイス、光記憶デバイス、又は磁気記憶デバイスを含む、任意の好適な有形コンピュータ可読媒体が、利用されてよい。
【００５６】
いくつかの実施形態は、方法、システム、及びコンピュータプログラム製品のフロー図及び／又はブロック図を参照して本明細書に記載される。フロー図及び／又はブロック図の各ブロック、並びにフロー図及び／又はブロック図のブロックの組み合わせは、コンピュータプログラム命令によって実現することができると理解されるであろう。コンピュータ又は他のプログラム可能データ処理装置のプロセッサを介して実行される命令が、フロー図及び／又はブロック図のブロック又は複数のブロックに明記された機能／動作を実装するための手段を作成するように、これらのコンピュータプログラム命令は、機械を製造するための、汎用コンピュータ（それによって、専用コンピュータを作成する）、専用コンピュータ、又は他のプログラム可能データ処理装置のプロセッサへ提供されてもよい。
【００５７】
コンピュータ可読メモリに格納された命令が、フロー図及び／又はブロック図のブロック又は複数のブロックに明記された機能／動作を実現する命令手段を含む製造物品を製造するように、これらのコンピュータプログラム命令はまた、コンピュータ又は他のプログラム可能データ処理装置が特定の方法で機能するように指示することができるコンピュータ可読メモリ又は記憶媒体に格納されていてもよい。
【００５８】
コンピュータ又は他のプログラム可能装置上で実行する命令が、フロー図及び／又はブロック図のブロック又は複数のブロックに明記された機能／動作を実現するための工程を提供するように、コンピュータプログラム命令はまた、コンピュータ又は他のプログラム可能装置上で行われる一連の動作工程に、コンピュータ実装プロセスを製造させるために、コンピュータ又は他のプログラム可能データ処理装置上にロードされてもよい。
【００５９】
ブロックに記述された機能／動作は、動作図に記述された順序どおりには発生しない場合があることを理解すべきである。例えば、続けて示される２つのブロックは、実際、ほぼ同時に実行されてもよく、又はブロックは時々、関連する機能性／動作に応じて逆順に実行されてもよい。図の一部には、主な通信方向を示すために通信経路に矢印を含んでいるが、通信は、図示された矢印とは逆方向に発生してもよいと理解すべきである。
【００６０】
本明細書に記載された概念の動作を実施するためのコンピュータプログラムコードは、Ｊａｖａ（登録商標）又はＣ＋＋などのオブジェクト指向プログラミング言語で記述されてもよい。しかし、本開示の動作を実施するためのコンピュータプログラムコードはまた、「Ｃ」プログラミング言語などの従来のプログラミング言語で記述されてもよい。プログラムコードは、ユーザのコンピュータで全体的に実行してもよいし、スタンドアロンソフトウェアパッケージとしてユーザのコンピュータで部分的に実行してもよいし、ユーザのコンピュータで部分的に及びリモートコンピュータで部分的に実行してもよいし、又はリモートコンピュータで全体的に実行してもよい。後者のシナリオでは、リモートコンピュータは、ローカルエリアネットワーク（ＬＡＮ）又はワイドエリアネットワーク（ＷＡＮ）を通して、ユーザのコンピュータに接続されていてもよく、又はこの接続は、外部コンピュータに対して（例えば、インターネットサービスプロバイダを使用してインターネットを通じて）なされていてもよい。
【００６１】
本明細書では、上記の説明及び図面とあわせて、多くの様々な実施形態が開示されている。これらの実施形態のあらゆる組み合わせ及びサブコンビネーションを、文字どおりに記述し図示することは、過度の繰り返し及び難読化になると理解されよう。したがって、すべての実施形態を任意のやり方及び／又は組み合わせで組み合わせることができ、図面を含む本明細書は、本明細書に記載された実施形態及びそれらを作成し使用する方法及びプロセスのすべての組み合わせ並びにサブコンビネーションの完全な記載説明を構築すると解釈され、それらの組み合わせ又はサブコンビネーションに対する特許請求の範囲を支援するものである。
【００６２】
本明細書に記載された実施形態は、本明細書で具体的に図示し上述したものに限定されないことが当業者には理解されるであろう。加えて、上記でそれとは反対に言及されない限り、添付の図面のすべては縮尺どおりではないことに留意されたい。上記の教示を考慮して、添付の特許請求の範囲を逸脱することなく、様々な改良及びバリエーションが可能である。
【図１】
2019516298.tif 000005
【図２】
2019516298.tif 000006
【図３】
2019516298.tif 000007
【図４】
2019516298.tif 000008
【図５】
2019516298.tif 000009
【図６】
2019516298.tif 000010
【図７】
2019516298.tif 000011
【国際調査報告】
2019516298.tif 000012
2019516298.tif 000013
2019516298.tif 000014